(57)【要約】【課題】  指に接触する粘着性又は接着性材料を用いない指装着具であって、利き手側のグリップの弛み、グリップ部分の滑り又は回転等を防止し、スイングトップ時及びインパクト時のクラブフェースの安定を図る。【解決手段】  指装着具は、ゴルフクラブのグリップ部分に当接するように利き手の指に装着される。指装着具は、指の第１関節及び第２関節の間の領域に弾力的に嵌まる伸縮性を備えた円筒状本体と、該本体の掌側部分を相対的に厚くする帯状隆起部とを備える。隆起部は、セットポジションにおいてゴルフクラブのグリップ部分に当接し、グリップ部分を支持する。【選択図】    図１
0003102936.tif 000002
【実用新案登録請求の範囲】
【請求項１】
ゴルフクラブのグリップ部分に当接するように利き手の指に装着される指装着具において、
指の第１関節及び第２関節の間の領域に弾力的に嵌まる伸縮性を備えた円筒状本体と、該本体の掌側部分を相対的に厚くする帯状隆起部とを備え、該隆起部は、セットポジションにおいて前記グリップ部分を支持するように該グリップ部分に当接する手段を形成することを特徴とする指装着具。
【請求項２】
前記円筒状本体及び帯状隆起部は、伸縮可能な布材からなり、前記帯状隆起部は、前記本体の径方向内側面及び／又は径方向外側面に一体的に取付けられることを特徴とする請求項１に記載の指装着具。
【請求項３】
前記帯状隆起部は、前記円筒状本体の中心角（θ）１２０度の範囲内に形成されることを特徴とする請求項１又は２に記載の指装着具。
【請求項４】
前記円筒状本体は、利き手の指の第１関節及び第２関節の間の領域の長さ寸法及び直径に相応する長さ（Ｌ）及び直径（Ｄ）を有することを特徴とする請求項１乃至３のいずれか１項に記載の指装着具。
【請求項５】
前記円筒状本体には、使用方法を示す表示が表記されることを特徴とする請求項１乃至４のいずれか１項に記載の指装着具。
【請求項６】
前記布材は、弾性糸を含む弾性織布からなることを特徴とする請求項２に記載の指装着具。
【請求項７】
前記円筒状本体は、帯状材料からなり、前記帯状隆起部は、前記帯状材料の重ね代又は折り返しにより形成されることを特徴とする請求項１乃至６のいずれか１項に記載の指装着具。
【請求項８】
前記円筒状本体は、帯状材料からなり、該帯状材料の各端部には、面ファスナー要素が取付けられ、前記帯状材料の端部は、面ファスナー要素同士の止着により接合され、前記帯状隆起部は、重なり合った前記帯状材料及び面ファスナー要素により形成されることを特徴とする請求項１乃至６のいずれか１項に記載の指装着具。
【請求項９】
前記帯状隆起部の部分の厚さ（Ｔ）は、円筒状本体の厚さ（t)の２〜６倍の範囲に設定されることを特徴とする請求項１乃至８のいずれか１項に記載の指装着具。
【考案の詳細な説明】
【技術分野】
【０００１】
本考案は、指装着具に関するものであり、より詳細には、ゴルフクラブのグリップ部分に当接するように利き手の指に装着される指装着具に関するものである。
【背景技術】
【０００２】
一般に、競技中又は練習中のゴルフプレーヤーは、利き腕と逆の手にゴルフ用手袋を着用する。右利きのゴルフプレーヤーは、ゴルフ用手袋を着用した左手でゴルフクラブのグリップ部分を握持し、右手を左手の上に重ね、左利きのゴルフプレーヤーは、ゴルフ用手袋を着用した右手でグリップ部分を握持し、左手を右手の上に重ねる。
【０００３】
本考案者は、ゴルフクラブのグリップ部分の握りを適正化するためのパッドを備えたゴルフ用手袋を登録実用新案第3097083号及び特願2003-426328号において提案している。このゴルフ用手袋では、パッドは、面状止着具によって手袋本体の掌部裏面に着脱可能且つ位置調節可能に取付けられ、グリップ部分の位置を規制するための突状隆起部又は段部を掌部の表面に形成する。突状隆起部又は段部は、グリップ部分の位置を規制し、グリップ部分と手の相対的な位置関係を適正化するとともに、掌部に生じやすい隙間又は遊び空間を占め、グリップ部分の位置を安定させる。
【特許文献１】登録実用新案第3097083号
【特許文献２】特願2003-426328号
【考案の開示】
【考案が解決しようとする課題】
【０００４】
ゴルフクラブのフェイス面がゴルフボールに当たる際の衝撃の瞬間（即ち、インパクト時）には、グリップが瞬間的に弛んだり、ゴルフクラブのグリップ部分が手の中で滑り又は回転するといった現象が生じ易い。上記登録実用新案第3097083号及び特願2003-426328号の手袋によれば、手袋を装着した側の手に生じるグリップの弛みや、グリップ部分の滑り又は回転等を掌面の突状隆起部又は段部の位置決め効果及び衝撃緩衝効果等により防止することができる。
【０００５】
しかしながら、このようなグリップの弛み、或いは、グリップ部分の滑り又は回転等は、手袋を装着した側の手のみならず、手袋を装着しない方の手においても、同様に生じ易い。殊に、利き手の人指し指、中指及び薬指と、グリップ部分との間には、遊び空間が形成され易く、セットポジション及びスイングが安定した熟練ゴルフプレーヤーであっても、年齢に相応して握力が低下した場合、或いは、元々握力が弱い女性ゴルフファー等の場合には、利き手側のグリップがプレー中に弛み易く、この結果、スイングトップ時及びインパクト時のクラブフェースが安定せずに、スコアを崩すことも少なくない。
【０００６】
このような状況を克服する手段として、クッション性部分を有する絆創膏等のテープ類を指に巻付け、インパクト時の衝撃を緩和したり、指に肉刺（マメ）、タコ等ができるのを防止することが行われている。このようなテープ類の使用は、ある程度までは、遊び空間を塞ぐ役割を果たすかもしれない。しかし、指に粘着するテープ類の接着剤又は粘着剤は、プレーヤーに不快感を与えるばかりでなく、テープ類を巻き付ける都度、位置及び厚さが相違したり、テープ類の位置がプレー中にずれてしまい、グリップの感覚や、スイング感覚に違和感を覚えるような状況が頻繁に生じるので、一般には、望ましい方法として認識されてはいない。
【０００７】
本考案は、このような事情に鑑みてなされたものであり、その目的とするところは、指に接触する粘着性又は接着性材料を用いない指装着具であって、利き手側のグリップの弛み、グリップ部分の滑り又は回転等を防止し、スイングトップ時及びインパクト時のクラブフェースの安定を図る指装着具を提供することにある。
【課題を解決するための手段】
【０００８】
上記目的を達成すべく、本考案は、ゴルフクラブのグリップ部分に当接するように利き手の指に装着される指装着具において、
指の第１関節及び第２関節の間の領域に弾力的に嵌まる伸縮性を備えた円筒状本体と、該本体の掌側部分を相対的に厚くする帯状隆起部とを備え、該隆起部は、セットポジションにおいて前記グリップ部分を支持するように該グリップ部分に当接する手段を形成することを特徴とする指装着具を提供する。なお、本明細書において、第２関節の用語は、親指の場合には、親指の付け根部分の関節を意味する。
【０００９】
本考案の上記構成によれば、帯状隆起部は、グリップ部分と当接する本体の掌側部分に厚みを与え、利き手の指と、グリップ部分との間に空隙又は遊び空間が形成されるのを防止する。また、帯状隆起部は、インパクト時に指に伝わる衝撃を緩和するように働く。このような指装着具を着用すると、比較的弱い握力でグリップ部分を握った場合であっても、グリップの弛みや、グリップ部分の滑り又は回転等を防止することができるので、スイングトップ時やインパクト時のクラブフェースは、安定する。また、弾力性を有する指装着具は、指装着具を粘着性又は接着性材料で指に接着することなく、指に弾力的に嵌まるにすぎない。帯状隆起部は、掌側部分のみに形成されるので、指と指が接する部分には、相対的に薄い本体部分が位置する。指装着具の回転により、厚い部分が指と指との間にずれたとき、プレーヤーは、異物感を感じるので、無意識に厚い部分を掌側に移動させる。セットポジション及びスイング時においては、指装着具は、互いに近接しようとする指同士の圧力により、回転を規制されるので、指装着具の厚い部分の位置は、掌側面に保持される。このため、本考案の指装着具は、指と接する不快な粘着性材料又は接着性材料を用いることを要しない。
【００１０】
なお、プレーヤーは、指の第１関節及び第２関節の間に本発明の指装着具を装着するが、所望により、第２関節と指の付け根の部分との間に本発明の指装着具を装着しても良い。この場合、指装着具は、指のマメ又はタコ等の防止に役立つであろう。
【００１１】
好ましくは、上記円筒状本体及び帯状隆起部は、伸縮可能な布材からなり、帯状隆起部は、前記本体の径方向内側面及び／又は径方向外側面に一体的に取付けられる。更に好ましくは、帯状隆起部は、円筒状本体の中心角（θ）１２０度の範囲内に形成される。
【００１２】
指装着具は、通常は、利き手の中指、薬指及び人指し指に装着される。円筒状本体は、指の第１関節及び第２関節の間の領域の長さ寸法及び直径に相応する長さ（Ｌ）、直径（D）及び周長（Ｐ）を有する。また、帯状隆起部の部分の厚さ（Ｔ）は、好ましくは、円筒状本体の厚さ（t)の２〜６倍の範囲、更に好ましくは、約３倍程度の寸法に設定される。
【００１３】
好ましくは、指の寸法の相違や、プレーヤーの個人差を想定した多種の寸法の指装着具が製造される。装着すべき指の種類や、寸法等の使用方法を示す表示を円筒状本体の外面に表記することが望ましい。
【００１４】
好適には、上記布材は、弾性糸を含む弾性織布からなる。或る実施形態において、円筒状本体は、帯状材料からなり、帯状隆起部は、帯状材料の重ね代又は折り返しにより、形成される。他の実施形態において、円筒状本体は、帯状材料からなり、帯状材料の各端部には、面ファスナー要素が取付けられ、帯状材料の端部は、面ファスナー要素同士の止着により接合される。重なり合った帯状材料及び面ファスナー要素は、円筒状本体の厚さを部分的に厚肉化する帯状隆起部を形成する。
【考案の効果】
【００１５】
本考案によれば、指に接触する粘着性又は接着性材料を用いない指装着具であって、利き手側のグリップの弛み、グリップ部分の滑り又は回転等を防止し、スイングトップ時及びインパクト時のクラブフェースの安定を図る指装着具を提供することができる。
【考案を実施するための最良の形態】
【００１６】
以下、添付図面を参照して、本考案の好適な実施形態について詳細に説明する。
【００１７】
図１は、本考案に係る指装着具の断面図、側面図及び斜視図であり、図２は、図１に示す指装着具の使用方法を示す正面図及び斜視図である。
【００１８】
指装着具１は、図１に示す如く、全周に亘って均一な厚さｔを有する円筒形本体２と、本体２を部分的に厚くするために本体２の外面及び内面に夫々形成された帯状隆起部３、４とから構成される。本体２及び帯状隆起部３、４は、伸縮性を有する布、例えば、ストレッチ性を有する弾性糸を裏糸に編み込んだ伸縮性の布からなる。帯状隆起部３、４は、縫合糸７によって本体２に縫着し、本体２と一体化する。
【００１９】
本体２は、指（例えば、利き手の人指し指）の第１関節及び第２関節の間の長さ及び直径に相当する全長Ｌ及び直径Ｄを有する。帯状隆起部３、４の長さは、本体２と同じ全長Ｌに設定され、本体２の中心軸線Ｃを中心とした角度θ＝１２０度の角度範囲内に形成される。帯状隆起部３は、本体２の外面を外側に隆起させ、帯状隆起部４は、本体２の内面を内側に隆起させる。本体２及び帯状隆起部３、４は、概ね同一の厚さｔを有し、従って、指装着具１は、角度θの範囲内おいて、約３倍の厚さＴに厚肉化される。
【００２０】
親指、人指し指、中指、薬指及び小指用の各指装着具１が製造される。各指の指装着具１は、各指の第１関節及び第２関節の間の長さ及び直径に相応する全長Ｌ及び周長Ｐ（図示せず）を有する。各指装着具２の外面には、サイズ等を示す識別表示（図１においては、数字「６」）が表記される。図１に示す表示「６」は、周長Ｐ＝６cm及び厚さＴ＝６mmを示す。指装着具１を装着すべき指の種類を示す符号等を指装着具１の外面に表記しても良い。表記方法については、様々な態様のものを想定することができる。
【００２１】
図２には、利き手１０の人指し指１２及び中指１３のみに指装着具１を装着した使用例が示されている。
【００２２】
図２（Ａ）及び図２（Ｂ）に示すように、指装着具１は、人指し指１２及び中指１３の第１及び第２関節の間に装着される。指装着具１は、帯状隆起部３、４を掌側に向けた状態で各指１２、１３に嵌められる。指装着具１を各指１２、１３に嵌める際、本体２を第１及び第２関節の間まで移動させ、帯状隆起部３、４を掌側に向けた状態で第１及び第２関節の間に留めれば良い。伸縮可能な指装着具１は、指１２、１３に沿って容易に移動するとともに、第１及び第２関節の間で指１２、１３に弾力的に嵌まり、指１２、１３上に静止する。なお、図２に示す使用例では、指装着具１は、親指１１、薬指１４及び小指１５には、装着されていないが、これらの指１１、１４、１５のいずれか又は全てに指装着具１を装着しても良いことはいうまでもない。
【００２３】
図２（Ｃ）には、セットポジションにおける左右の手とグリップ部分２０との位置関係が示されている。
【００２４】
グリップ部分２０は、手袋３０を装着した手で握持される。人指し指１２及び中指１３に嵌めた指装着具１の帯状隆起部３は、グリップ部分２０の下面に当接してグリップ部分２０を支持し、グリップ部分２０の支点又は当接部を形成する。
【００２５】
一般に、指１２、１３とグリップ部分２０との間には、利き手１０の握力の低下等により遊び空間が生じ、支点又は当接部としての機能が失われたり、或いは、指１２、１３とグリップ部分２０との位置関係がずれる現象が生じ易い。しかしながら、帯状隆起部３、４により厚くなった指装着具１の部分が、指１２、１３とグリップ部分２０との間に位置し、遊び空間の形成や、位置関係の変化を妨げるように働くので、グリップ部分２０を支承するための支点又は接点は解放されず、従って、利き手のグリップ握力低下等に起因するミスショットや、フック又はスライス等を防止することができる。
【００２６】
また、グリップ部分２０の支点を形成する指装着具１の存在は、比較的弱い握力でグリップ部分２０を適切に支持し得る感覚をセットポジションのプレーヤーに与えるので、プレーヤーは、比較的リラックスした状態でクラブスイングを行うことができ、これは、飛距離の増大や、ショットの方向安定性をもたらすと考えられる。
【００２７】
ここに、帯状隆起部３、４は、掌側部分のみに形成されるので、指と指が接する部分には、厚さｔの部分（薄い部分）が位置する。指装着具１の回転により、厚さＴの部分（厚い部分）が指と指との間にずれたとき、プレーヤーは、異物感を感じるので、厚い部分を無意識に掌側に移動させる。セットポジション及びスイング時においては、指装着具１は、互いに近接しようとする指同士の圧力により、回転を規制されるので、指装着具１の厚い部分（厚さＴの部分）の位置は、掌側面に保持される。このため、指装着具１は、指と接する不快な粘着性材料又は接着性材料を用いることを要しない。
【００２８】
図３及び図４は、指装着具１の他の実施形態を示す断面図、展開図及び展開断面図である。
【００２９】
図３（Ａ）に示す指装着具１は、図３（Ｂ）及び図３（Ｃ）に示す一枚の帯状部材２’の両端部を相互接続した円環状構成のものである。帯状部材２’の両端部には、雄型ファスナー要素５及び雌型ファスナー要素６が縫着し、ファスナー要素５、６は、相互止着可能な面ファスナー又は面状止着具を構成する。指装着具１の直径Ｄは、止着時のファスナー要素５、６の相対位置に応じて適当に設定することができる。なお、この種のファスナー要素５、６は、例えば、マジックテープ（登録商標）として市販されている。
【００３０】
指装着具１は、帯状材料２’の端部が重なり合う部分において、帯状材料２’の重ね代の厚さと、面ファスナー５、６の厚さにより、本体２の外面を外側及び内側に隆起させる帯状隆起部３、４を形成する。帯状隆起部３、４の部分の厚さＴは、帯状材料２’の厚さｔの約３倍程度である。
【００３１】
図３（Ｄ）及び図３（Ｅ）は、図３（Ａ）に示す指装着具の変形例を示す断面図及び展開図である。帯状材料２’の延長部分８が、ファスナー要素５、６を取付けた部分から更に長手方向に延びる。延長部分８は、本体２の外側及び内側に折り返され、折り返した状態は、縫合糸７又は接着剤（感熱型接着剤等）によって固定される。折り返し部８は、帯状隆起部３、４を本体２の外側及び内側に形成し、帯状隆起部３、４の部分は、帯状材料２’（厚さｔ）の約５倍の厚さＴを有する。
【００３２】
図４には、指装着具１の多様な変形例が示されている。
【００３３】
図４（Ａ）に示す指装着具１では、帯状材料２’の両端部が外側に折り返され、帯状材料２’の端部同士が、折り曲げ線に沿って縫合糸９で縫合される。折り返した部分２”は、縫合糸７又は接着剤（感熱型接着剤等）で本体２に縫合される。帯状の布３’が、折り返し部２”を被覆するように縫合糸７で本体２の外側に縫着される。折り返し部２”及び布３’は、指装着具１の外面に帯状隆起部３を形成する。
【００３４】
図４（Ｂ）に示す指装着具１は、帯状材料２’の両端部を内側に折り返し、縫合糸７（又は接着剤）及び縫合糸９で折り返し部２”及び帯状の布４’を縫合した構成のものである。折り返し部２”及び布４’は、指装着具１の内面に帯状隆起部４を形成する。
【００３５】
図４（Ｃ）に示す指装着具１は、図４（Ｂ）に示す指装着具において、帯状の布３’を縫合糸７（又は接着剤）で本体２の外側に更に縫着した構成のものである。布を重ね合せた部分により帯状隆起部３、４が形成される。
【００３６】
図４（Ｄ）に示す指装着具１は、円筒形本体２を部分的に折り返して重ね合せ、重ね合せた形態を縫合糸７（又は接着剤）で固定した構成のものである。布を重ね合せた部分により帯状隆起部３が形成される。
【００３７】
図４（Ａ）〜図４（Ｄ）に示す指装着具１では、布を折り返した部分又は重ね合せた部分は、本体２の厚さｔに対し、約３倍又は４倍の厚さＴを有する。
【００３８】
図４（Ｅ）及び図４（Ｆ）には、任意の手段により外側の帯状隆起部３を形成し、或いは、外側及び内側の帯状隆起部３、４を形成した指装着具１が示されている。帯状隆起部３、４は、例えば、本体２を構成する布状部材を局部的に厚肉化した構造を有する。厚肉化した部分の厚さＴは、本体２の厚さｔの２倍〜５倍に設定される。
【００３９】
以上、本考案の好適な実施形態について詳細に説明したが、本考案は、上記実施形態に限定されるものではなく、実用新案登録請求の範囲に記載した考案の範囲内で種々の変形又は変更が可能であり、そのような変形例又は変更例も又、本考案の範囲内に含まれるものであることは、いうまでもない。
例えば、指装着具は、伸縮性を有する各種化学繊維又は天然繊維の布で製作することができる。また、指装着具を着色し、指装着具のサイズ等を色により識別するようにしても良い。更には、帯状隆起部を形成する布材等は、接着又は熱圧着等の手段により円筒状本体に取付けても良い。
【産業上の利用可能性】
【００４０】
本考案は、ゴルフプレーヤーの利き手の指（主として、人指し指、中指、薬指）に装着される指装着具に適用される。本考案の指装着具は、所望により、プレーヤーの反対側の手の指に装着しても良い。
【図面の簡単な説明】
【００４１】
【図１】本考案の好適な実施形態に係る指装着具の断面図、側面図及び斜視図である。
【図２】図１に示す指装着具の使用方法を示す正面図及び斜視図である。
【図３】指装着具の他の実施形態を示す断面図、展開図及び展開断面図である。
【図４】指装着具の多様な実施形態を示す断面図である。
【符号の説明】
【００４２】
１        指装着具
２        円筒状本体
２’      帯状材料
２”      折り返し部
３、４    帯状隆起部
３’、４’  布
５、６    面ファスナー要素
７、９    縫合糸
８        延長部分
Ｔ、ｔ    厚さ
【図１】
0003102936.tif 000003
【図２】
0003102936.tif 000004
【図３】
0003102936.tif 000005
【図４】
0003102936.tif 000006